(57)【要約】【課題】ウェットシートを容易に引き出すことができる、ウェットシート収納容器とする。【解決手段】ウェットシートＴを重畳状態で収納し、上面中央部が可撓性部材３で形成され、この可撓性部材３にウェットシートＴの引出部１０が形成されている。そして、引出部１０が３本の線状貫通部１１，１２，１３で構成され、この線状貫通部１１，１２，１３が曲線状とされている。【選択図】図３
2007176546.tif 000002
【特許請求の範囲】
【請求項１】
ウェットシートを重畳状態で収納し、上面中央部が可撓性部材で形成され、この可撓性部材にウェットシートの引出部が形成された、ウェットシート収納容器であって、
前記引出部が１本以上の線状貫通部で構成され、この線状貫通部の少なくとも１本が曲線状とされている、ことを特徴とするウェットシート収納容器。
【請求項２】
前記引出部は、前記ウェットシートの引出中心部以外の部位において、２本以上の線状貫通部が交わる構成とされている、請求項１記載のウェットシート収納容器。
【請求項３】
前記引出部の端部を構成する線状貫通部が、曲線状とされている、請求項１又は請求項２記載のウェットシートの収納容器。
【請求項４】
前記線状貫通部が貫通孔とされ、かつこの貫通孔の幅が０．５〜１０．０ｍｍとされている、請求項１〜３のいずれか１項に記載のウェットシートの収納容器。
【発明の詳細な説明】
【技術分野】
【０００１】
本発明は、ウェットシートの収納容器に関するものである。より詳しくは、ウェットシートを重畳状態で収納し、上面中央部がゴム等の可撓性部材で形成され、この可撓性部材にスリット等からなるウェットシート引出部が形成された、ウェットシートの収納容器に関するものである。
【背景技術】
【０００２】
図１に示すように、この種のウェットシート収納容器１００としては、上面１０２の中央部がゴム等の可撓性部材１０３で形成され、この可撓性部材１０３に直線状のスリットからなるウェットシート引出部１０４が形成されたものがある（例えば、特許文献１参照。）。
【０００３】
このウェットシート収納容器１００は、複数枚のウェットシートを重畳状態で収納する。この重畳は、通常、図２の（１）に示すように、各ウェットシートＴがそれぞれ半分に折り畳まれ、この折り畳みによって形成された各ウェットシートＴの上側片Ｔａが、その上のウェットシートＴの上側片Ｔａと下側片Ｔｂとの間に、各ウェットシートＴの下側片Ｔｂが、その下のウェットシートＴの上側片Ｔａと下側片Ｔｂとの間に、それぞれ挟み込まれた状態となっている。ウェットシートＴ，Ｔ…がこのような重畳状態にあるため、各ウェットシートＴを取り出すと、次（下）のウェットシートＴＮ（図２の（２）参照）の上側片Ｔａがウェットシート引出部１０４から露出し、次のウェットシートＴＮを容易に引き出すことができる（ポップアップ機能）。
【０００４】
もっとも、この従来のウェットシート収納容器１００によると、図２の（２）に示すように、各ウェットシートＴを引き出すにあたり、次のウェットシートＴＮの上端縁が全長に渡ってウェットシート引出部１０４を囲む可撓性部材１０３の端縁１０３ａに引っかかることがある。この引っかかりが生じると、次のウェットシートＴＮの上側片Ｔａがウェットシート引出部１０４から露出せず、ウェットシート収納容器１００内に落ちてしまう。結果、次のウェットシートＴＮを容易に引き出すことができなくなる。
【０００５】
そこで、この従来のウェットシート収納容器１００は、ウェットシート引出部１０４を、ウェットシートＴの引出中心部１０５において、２本以上のスリットが交わる構成としている。これにより、引出中心部１０５からウェットシート収納容器１００内に指を挿入することができ、指を挿入してウェットシート収納容器１００内に落ちた次のウェットシートＴＮを引き出すことができる。
なお、ウェットシートＴは、通常、指で摘まれて引き出されるため、この指で摘まれた部位を中心に（指で摘まれた部位が先行して）引き出されることになる。本明細書では、この部位の平面位置を、引出中心部という。
【０００６】
しかしながら、ウェットシート収納容器１００内に落ちた次のウェットシートＴＮを引き出すよりも、次のウェットシートＴＮがウェットシート収納容器１００内に落ちてしまわない方が、当然に好ましく、引き出し容易といえる。また、ウェットシート収納容器１００内に指を挿入することは、ウェットシート収納容器１００内に残るウェットシートＴ，Ｔ…の乾燥の原因になる。通常、ウェットシート引出部１０４は、開閉蓋１０１等で覆ってまでして乾燥を防いでおり、この点は大きな問題といえる。さらに、引出中心部１０５において２本以上のスリットが交わる構成とすると、各ウェットシートＴは、引き出されるにあたり、引出中心部１０５に向かう力を加えられることになるため、この引出中心部１０５に集まって（よって）、紐状になってしまう。通常の乾燥した（ドライ）シートであれば、紐状になったとしても比較的容易に広げることができるが、ウェットシートは一度紐状になってしまうと、広げるのが大変であり、引き出し容易とはいえなくなる。
【特許文献１】特表２００３−５２９５０５号公報
【発明の開示】
【発明が解決しようとする課題】
【０００７】
本発明が解決しようとする主たる課題は、ウェットシートを容易に引き出すことができる、ウェットシート収納容器を提供することにある。
【課題を解決するための手段】
【０００８】
この課題を解決した本発明は、次のとおりである。
〔請求項１記載の発明〕
ウェットシートを重畳状態で収納し、上面中央部が可撓性部材で形成され、この可撓性部材にウェットシートの引出部が形成された、ウェットシート収納容器であって、
前記引出部が１本以上の線状貫通部で構成され、この線状貫通部の少なくとも１本が曲線状とされている、ことを特徴とするウェットシート収納容器。
【０００９】
〔請求項２記載の発明〕
前記引出部は、前記ウェットシートの引出中心部以外の部位において、２本以上の線状貫通部が交わる構成とされている、請求項１記載のウェットシート収納容器。
【００１０】
〔請求項３記載の発明〕
前記引出部の端部を構成する線状貫通部が、曲線状とされている、請求項１又は請求項２記載のウェットシートの収納容器。
【００１１】
〔請求項４記載の発明〕
前記線状貫通部が貫通孔とされ、かつこの貫通孔の幅が０．５〜１０．０ｍｍとされている、請求項１〜３のいずれか１項に記載のウェットシートの収納容器。
【発明の効果】
【００１２】
本発明によると、ウェットシートを容易に引き出すことができる、ウェットシート収納容器となる。
【発明を実施するための最良の形態】
【００１３】
次に、本発明の実施の形態を説明する。なお、本形態のウェットシート収納容器は、従来のウェットシート収納容器と基本形態を同一とすることができ、ウェットシートの引出部が異なる点のみを、主な特徴とする。そこで、以下では、図３〜８に基づいて、ウェットシートＴの引出部１０を中心に説明する。
【００１４】
〔第１の形態〕
本形態のウェットシート収納容器は、従来のウェットシート収納容器１００と同様に、上面（１０２）の中央部が可撓性部材３で形成され、この可撓性部材３にウェットシートＴの引出部１０が形成されて、主になる。
【００１５】
しかしながら、本形態のウェットシート収納容器は、従来は引出部１０４が直線状のスリットで構成されていたのに対し、引出部１０が１本以上の線状貫通部で構成され、この線状貫通部の少なくとも１本が曲線状とされている、という点で、従来のウェットシート収納容器１００と異なる。引出部１０を１本以上の線状貫通部で構成し、この線状貫通部の少なくとも１本を曲線状とすると、各ウェットシートＴを引き出すにあたり、次のウェットシートＴＮの上端縁が「全長に渡って」引出部１０を囲む可撓性部材３の端縁に引っかかるということがなくなる。つまり、次のウェットシートＴＮの上端縁の少なくとも一部は、必ず引出部１０を囲む可撓性部材３の端縁に引っかからなくなる。したがって、次のウェットシートＴＮの上側片Ｔａの少なくとも一部は、必ず引出部１０から露出することになる。しかも、線状貫通部の少なくとも１本を曲線状とすると、この曲線状貫通部と次のウェットシートＴＮの上側片Ｔａとが交差することになるため、次のウェットシートＴＮの上側片Ｔａが引出部１０（曲線状貫通部）を囲む可撓性部材３の端縁によって挟み込まれた状態となる。したがって、次のウェットシートＴＮが収納容器内に落ちてしまうことがなく、次のウェットシートＴＮを容易に引き出すことができる。
【００１６】
本形態のウェットシート収納容器において、線状貫通部が何本あるか、そのうち何本が曲線状とされているかは、特に限定されない。例えば、図３に示すように、一方（紙面上方）に湾曲する曲線状の線状貫通部１１、他方（紙面下方）に湾曲する曲線状の線状貫通部１２、及び、一方（紙面上方）に湾曲する曲線状の線状貫通部１３、がこの順につながって引出部１０が構成された形態、つまり、線状貫通部が３本、その全てが曲線状とされた形態を例示することができる。この形態によると、次のウェットシートＴＮの上端縁が、少なくとも引出部１０上の部位Ａ及び部位Ｂにおいては引っかからなくなるため、これらの部位Ａ及びＢにおいては、次のウェットシートＴＮの上側片Ｔａが必ず露出することになる。しかも、これらの部位Ａ及びＢにおいては、次のウェットシートＴＮの上側片Ｔａが、引出部１０（曲線状貫通部）を囲む可撓性部材３の端縁によって挟み込まれた状態となる。したがって、次のウェットシートＴＮが収納容器内に落ちてしまうことがなく、次のウェットシートＴＮを容易に引き出すことができる。
【００１７】
〔第２の形態〕
図４に示すように、本形態の引出部１０は、直線状の線状貫通部１５、一方（紙面上方）に湾曲する曲線状の線状貫通部１６、他方（紙面下方）に湾曲する曲線状の線状貫通部１７、及び、直線状の線状貫通部１８、がこの順につながる構成とされている。
【００１８】
第１の形態では、曲線状貫通部１１，１２，１３が小さく曲がっている（湾曲している）が、これに限定する趣旨ではない。本形態の曲線状貫通部１６，１７のように、大きく曲がっていてもよい。曲がり方が大きいと、次のウェットシートＴＮが、引出部１０を囲む可撓性部材３の端縁に引っかからなくなる部位（第１の形態では、部位Ａ及びＢ。）が、形成されやすくなる、との利点がある。また、次のウェットシートＴＮの上側片Ｔａを、引出部１０を囲む可撓性部材３の端縁が挟み込む力が大きくなる、との利点もある。
【００１９】
一方、第１の形態では、全ての線状貫通部が曲線状貫通部１１，１２，１３とされていたが、これに限定する趣旨ではない。本形態のように、両端の線状貫通部を、直線状貫通部１５，１８とすることもできる。
【００２０】
〔第３の形態〕
図５に示すように、本形態の引出部１０は、一方（紙面下方）に小さく湾曲する線状貫通部２１、一方（紙面下方）に小さく湾曲し、かつ線状貫通部２１とこの線状貫通部２１の一端（紙面右側端）を中心とする左右線対象とされた線状貫通部２２、他方（紙面上方）に小さく湾曲し、かつ線状貫通部２２とこの線状貫通部２２の一端（紙面右側端）を中心とする点対象とされた線状貫通部２３、及び、他方（紙面上方）に湾曲し、かつ線状貫通部２３とこの線状貫通部２３の一端（紙面右側端）を中心とする左右線対象とされた線状貫通部２４、がこの順につながり、また、一方（紙面上方）に延在する直線状の線状貫通部２５が線状貫通部２１の一端（紙面右側端）（線状貫通部２２の他端（紙面左側端）でもある。）である部位Ｃに、他方（紙面下方）に延在する直線状の線状貫通部２６が線状貫通部２４の他端（紙面左側端）（線状貫通部２３の一端（紙面右側端）でもある。）である部位Ｄに、それぞれつながる構成とされている。つまり、本形態においては、引出部１０が、ウェットシートＴの引出中心部以外の部位である部位Ｃ及びＤにおいて、２本以上の線状貫通部である線状貫通部２１、線状貫通部２２及び線状貫通部２５が、又は、線状貫通部２３、線状貫通部２４及び線状貫通部２６が、それぞれ交わる構成とされている。このように、本形態では、２本以上の線状貫通部が交わる構成とされているので、基本的に、次のウェットシートＴＮが収納容器１０内に落ちてしまわない構成となってはいるが、仮に落ちてしまったとしても、部位Ｃ又は部位Ｄから指を挿入して、収納容器１０内に落ちた次のウェットシートＴＮを引き出すことができる。また、本形態では、２本以上の線状貫通部が、ウェットシートＴの引出中心部以外の部位において、交わる構成とされているので、各ウェットシートＴを引き出すにあたり、このウェットシートＴが引出中心部に集まって（よって）、紐状になってしまうおそれもない。
【００２１】
部位Ｃや部位Ｄ等の引出中心部以外の部位において、何本の線状貫通部が交差しているかは、特に限定されない。例えば、２本、３本、４本又はそれ以上の複数本の線状貫通部が交差している形態とすることができる。
【００２２】
〔第４の形態〕
図６に示すように、本形態の引出部１０は、一方（紙面上方）に大きく湾曲する線状貫通部２８、直線状貫通部２９、及び、他方（紙面下方）に大きく湾曲する線状貫通部３１、がこの順につながる構成とされている。つまり、本形態では、引出部１０の両端部を構成する線状貫通部２８及び３１が、曲線状とされている。これにより、各ウェットシートＴを引き出すにあたり、このウェットシートＴの両端部が、可撓性部材３の引出部１０を囲む端縁から、それぞれ一方外方（紙面左上）Ｅ又は他方外方（紙面右下）Ｆに向かう抵抗力を受け、この抵抗力により、各ウェットシートＴが常に広がった状態で引き出されることになる。
【００２３】
ここで、両端部２８及び３１は、いずれか一方のみが曲線状とされているにすぎなくてもよいが、各ウェットシートＴを全体にわたって広がった状態で引き出すという観点からは、本形態のように、両方が曲線状とされている方が好ましい。また、両端部２８及び３１の曲がり方も特に限定されないが、各ウェットシートＴに確実に抵抗力を生じさせて確実に広げるという観点からは、本形態のように、円弧状とされている方が好ましい。さらに、両端部２８及び３１が一方（紙面上方）及び他方（紙面下方）のいずれに湾曲しているかは特に限定されないが、各ウェットシートＴが確実に広がった状態で引き出すという観点からは、両者２８及び２９が相互に反対方向に湾曲しているのが好ましい。
【００２４】
〔第５の形態〕
図７に示すように、本形態の引出部１０は、一方（紙面下方）に円弧状に大きく湾曲する線状貫通部３３、他方（紙面上方）に大きく湾曲する線状貫通部３４、一方（紙面下方）に大きく湾曲する線状貫通部３５、及び、他方（紙面上方）に円弧状に大きく湾曲する線状貫通部３６、がこの順につながる構成とされている。
【００２５】
第４の形態では、引出部１０の両端部２８及び３１の間が、直線状貫通部２９によって構成されていたが、これに限定する趣旨ではない。本形態のように、曲線状貫通部３４，３５で構成されていてもよい。本形態のように、曲線状貫通部３４，３５によって構成されていると、次のウェットシートＴＮの、引出部１０を囲む可撓性部材３の端縁に引っかからなくなる部位（第１の形態でいう部位Ａ及びＢ。）が、増えることになる、との利点がある。
【００２６】
〔第６の形態〕
図８に示すように、本形態の引出部１０は、一方（紙面下方）に湾曲する線状貫通部３７、一方（紙面下方）に湾曲する線状貫通部３８、一方（紙面下方）に湾曲し、かつ線状貫通部３８とこの線状貫通部３８の一端（紙面右側端）を中心とする左右線対象とされた線状貫通部３９、他方（紙面上方）に湾曲し、かつ線状貫通部３９とこの線状貫通部３９の一端（紙面右側端）を中心とする点対象とされた線状貫通部４１、他方（紙面上方）に湾曲し、かつ線状貫通部４１とこの線状貫通部４１の一端（紙面右側端）を中心とする左右線対象とされた線状貫通部４２、及び、他方（紙面上方）に湾曲する線状貫通部４３、がこの順につながり、また、一方（紙面上方）に延在する直線状の線状貫通部４４が線状貫通部３８の一端（紙面右側端）（線状貫通部３９の他端（紙面左側端）でもある。）に、他方（紙面下方）に延在する直線状の線状貫通部４５が線状貫通部４２の他端（紙面左側端）（線状貫通部４１の一端（紙面右側端）でもある。）に、それぞれつながる構成とされている。つまり、本形態は、以上第１〜５の形態における指挿入機構や両端部拡幅機構などを併せもった形態とされている。
【００２７】
〔その他〕
（１）本形態において、線状貫通部は、線状となっており、かつ収納容器１０の外側と内側とを連通させる、つまり貫通した構成となっている。線状貫通部は、例えば、スリットなどで形成することができる。ただし、線状貫通部は、貫通孔とされ（この場合、引出部は引出口となる。）、かつこの貫通孔の幅Ｌ（図３中の拡大図参照）が、０．５〜１０．０ｍｍ、好ましくは１．０〜５．０ｍｍ、より好ましくは２．０〜４．０ｍｍとされているのが望ましい。幅Ｌが０．５ｍｍ以上とされていると、（第１の形態でいう部位Ａ及びＢによる）次のウェットシートＴＮの引っかかり防止効果が確実に得られる。他方、幅Ｌが１０．０ｍｍ以下とされていると、次のウェットシートＴＮが引出部１０を囲む可撓性部材３の端縁によって確実に挟まれ、収納容器１０内に落ちてしまうことがなくなる。
【００２８】
（２）本形態において、可撓性部材の素材は特に限定されない。従来と同様に、例えば、シリコン樹脂等の軟材質、加硫ゴム、熱可塑性エラストマー、弾性繊維、弾性発泡体、合成ゴム、発泡ポリエチレン等の弾性体を使用することができる。
【００２９】
（３）本明細書において、線状貫通部の本数は、曲線状から直線状に変わる等の形状変化がある場合に、それぞれを別の線状貫通部ととらえ、それぞれを１本として表現している。しかしながら、これは本発明を説明するための便宜上の表現であり、例えば、「１本の線状貫通部の一部が曲線状（残りは直線状）になっている」などと表現することもできる。つまり、これらは、表現（説明）の仕方の違いにすぎないことを付言しておく。
【産業上の利用可能性】
【００３０】
本発明は、家庭、オフィス、自動車内などのさまざまな生活空間において使用されるウェットシートの収納容器として、適用可能である。
【図面の簡単な説明】
【００３１】
【図１】従来のウェットシート収納容器の斜視図である。
【図２】ウェットシートの積層状態を示す図である。
【図３】引出部の形態例である。
【図４】引出部の形態例である。
【図５】引出部の形態例である。
【図６】引出部の形態例である。
【図７】引出部の形態例である。
【図８】引出部の形態例である。
【符号の説明】
【００３２】
３…可撓性部材、１０…引出部、１１，１２，１３，１５，１６，１７，１８，２１，２２，２３，２４，２５，２６，２８，２９，３１，３３，３４，３５，３６，３７，３８，３９，４１，４２，４３…線状貫通部、１００…ウェットシート収納容器、１０１…開閉蓋、１０２…上面、１０３…可撓性部材、１０４…引出部、１０５…引出中心部、Ｔ…ウェットシート、ＴＮ…次のウェットシート、Ｔａ…上側片、Ｔｂ…下側片。
【図１】
2007176546.tif 000003
【図２】
2007176546.tif 000004
【図３】
2007176546.tif 000005
【図４】
2007176546.tif 000006
【図５】
2007176546.tif 000007
【図６】
2007176546.tif 000008
【図７】
2007176546.tif 000009
【図８】
2007176546.tif 000010